(57)【要約】【課題】発光器を使用し演出効果のバリエーションを増やすことができる装置およびシステム等を提供すること。【解決手段】  コンサート会場等で観客が所持する発光器に対する制御情報を含む赤外線を発光する投光器である。この投光器は、複数の発光ダイオードを配列した光源を有し、前記光源の前方に、縦幅に対して横幅を十分に広く形成した細幅状の開口を有するノズルを設け、赤外光を当該ノズルを通過させた後に放射するように形成している。これにより、コンサート会場内にある投光器を用いて、帯状の発光域を形成しこれを波のように移動させるという照明効果的な演出を行うことができる。【選択図】図１
2015026533.tif 000002
【特許請求の範囲】
【請求項１】
発光器に対する制御情報を含む赤外線を発光する投光器であって、
複数の発光ダイオードを配列した光源を有し、
前記光源の前方に、縦幅に対して横幅を十分に広く形成した細幅状の開口を有するノズルを設け、
赤外光を当該ノズルを通過させた後に放射するように形成したことを特徴とする赤外線投光器。
【請求項２】
前記ノズルは、前記光源を有する本体に対して着脱可能に取り付けられていることを特徴とする請求項１記載の赤外線投光器。
【請求項３】
前記ノズルの開口もしくは内部には、放射される赤外光の幅を調節する調節手段が設けられていることを特徴とする請求項１または請求項２記載の赤外線投光器。
【発明の詳細な説明】
【技術分野】
【０００１】
本発明は、赤外線投光器に関するものである。
【背景技術】
【０００２】
従来より、特許文献１記載の発光システムおよび発光指示装置が知られている。
当該発光システム等は、赤外線を制御用の信号として使用する発光指示装置および発光器を用いたシステムであって、コンサート会場等において様々な演出動作を行うことができるものである。例えば多数の観客に発光器を所時させ、会場を見渡せる場所から赤外線信号を照射する投光器（発光指示装置）を用いて、会場にある発光器の発光をコントロールするというものである。
当該発光システムは、発光器が有しているＩＤを含む制御信号によって発光器をコントロールするので、個々の発光器に対して個別に発光制御が行えるものである。また、図１３に示すように、投光器によって赤外線を照射した領域にある発光器のみを発光させることができ、観客がコンサートに参加をするような演出をすることができるものである。
【先行技術文献】
【特許文献】
【０００３】
【特許文献１】特開２０１２−１６４４３９号公報
【発明の概要】
【発明が解決しようとする課題】
【０００４】
特許文献１には、発光システムに用いる投光器として比較的狭い範囲にのみ赤外光を照射するように構成したスポットタイプの投光器と、広い領域全体を照射するように構成された広域タイプの投光器が記載されている。そして、これらを用いてコンサート会場の一部の狭い範囲にある発光器を点灯させたり、会場にある全ての発光器を同時に点灯させる等の演出を行わせることができるものである。
しかしながら、上記の投光器では、広いコンサート会場全体に配置（観客が持っている）された発光器を用いて、発光器の発光による帯状の直線的な発光帯を形成したり、このような発光帯を移動させることはできなかった。本発明は、当該事情に鑑み発明されたものてあって、発光器を使用し演出効果のバリエーションを増やすことができる装置およびシステム等を提供することを課題とするものである。
【課題を解決するための手段】
【０００５】
上記課題を解決するために本願発明は以下の構成を有する。すなわち、
発光器に対する制御情報を含む赤外線を発光する投光器であって、
複数の発光ダイオードを配列した光源を有し、
前記光源の前方に、縦幅に対して横幅を十分に広く形成した細幅状の開口を有するノズルを設け、
赤外光を当該ノズルを通過させた後に放射するように形成したことを特徴とする赤外線投光器。
【０００６】
前記ノズルは、前記光源を有する本体に対して着脱可能に取り付けられていることを特徴とする請求項１記載の赤外線投光器。
【０００７】
前記ノズルの開口もしくは内部には、放射される赤外光の幅を調節する調節手段が設けられていることを特徴とする請求項１または請求項２記載の赤外線投光器。
【発明の効果】
【０００８】
本発明は、コンサート会場のような広い空間において、観客に所持させた発光器の発光を制御することができるものである。具体的には、発光器の発光によって会場内に帯状の発光領域を形成し、この発光領域を移動させるような演出が可能になる。本発明は、発光器によって従来にない演出効果を得ることができるという効果を有している。
【図面の簡単な説明】
【０００９】
【図１】本発明に係る投光器の一例を構成するノズルと本体部の外観図である。
【図２】本発明に係る投光器の一例を表す外観図である。
【図３】本発明に係る投光器に用いる他のノズルに関する説明図である。
【図４】本発明に係る投光器に用いる他のノズルに関する説明図である。
【図５】本発明に係る投光器の他の例を構成するノズルと本体部の外観図である。
【図６】本発明に係る投光器の他の例を表す外観図である。
【図７】本発明に係る投光器を用いた演出例の説明図である。
【図８】本発明に係る投光器の使用例を表した説明図である。
【図９】本発明に係る投光器を用いた演出例の説明図である。
【図１０】本発明に係る発光器の説明図である。
【図１１】赤外線信号の内容に関する説明図である。
【図１２】赤外線信号を用いた制御内容を説明するフローチャートである。
【図１３】他の演出例を表した説明図である。
【図１４】本発明に係る発光指示装置の説明図である。
【発明を実施するための形態】
【００１０】
以下、本発明を実施するための形態について説明する。
図１は、一実施の形態に係る投光器１の外観図を表している。投光器１は、光源を内蔵した投光器本体２と、当該投光器本体２に取り付けるノズル３を有している。
投光器本体２は、複数の発光ダイオードＤを平面的に配置した光源４および駆動電源と、これらを収容する筐体５から構成されている。一例として、投光器本体２の筐体５には吊り下げ用のブラケット６が設けられている。当該投光器本体２は、後述するコントローラー１２０、駆動制御部１２８および波形増幅・整形手段１２９等を用いて発光制御が行われるものである。
【００１１】
投光器本体２は、横長の開口面７を有した発光部を有しており、当該開口７を介して発光部に設けた光源４による赤外光を前方に対して放射するようになっている。
光源４は、プリント配線基板上に縦、横等間隔で均一に配置された複数の発光ダイオードＤを設けた一または二以上の発光板によって構成されている。
図示した例では、縦横比を約１：２の外形に形成した発光板を、長手方向に２枚並べることで縦の長さに比べて横方向の長さが十分に長い縦横比が約１：４の平面を成す光源を形成している。
【００１２】
投光器本体２の開口面７は、前記横長の光源４の形状に応じて横長に形成されており、光源４（発光ダイオードＤ）は当該開口面７から突出しないように、投光器本体２の内部側に向かって後退した位置に設けられている。また、必要に応じて開口面７には発光ダイオードＤを保護するための透明カバーが設けられる。
当該構成の投光器本体２は、上記のように光源４が横方向に長く形成されており、搭載した発光ダイオードＤは開口面７の直近に配置される。砲弾型に形成した樹脂に封入した発光ダイオードの場合、発光部分のレンズ効果によって放射方向に高い指向性を有するものであるが、一定の角度の範囲内であればある程度の強い赤外光を放射する。このため、発光体までの距離に比例して赤外光が広範囲に広がることになり、上記投光器本体２をそのままコンサート会場のような広い場所で使用した場合には広範囲に赤外光が照射され会場の広範囲で投光器が発光する。
【００１３】
本実施の形態では、赤外光を放射する投光器本体２の開口面７に、放射される赤外光が幅の狭い長細い領域に対して照射されるようにノズル３が装着される。
ノズル３は、先端に細長の前部開口８を形成したダクト状の中間部９と、当該中間部９の後端縁外周に設けたフランジ状の取付部１０を設けた構造を有している。取付部１０は、投光器本体２の前面部外周に装着され、ネジ（図示せず）等によって固定されるようになっている。また、取付部１０の内周部分には、先端の開口８と連通する後端開口１１が設けられている。
【００１４】
図１に示したノズル３を前記投光器本体２の開口面７に装着すると、光源４で発生した赤外光は、後端開口１１の形状、中間部９の長さおよび前部開口８の形状によって定まる放射角度の範囲内で放射されることになる。
すなわち、当該ノズル３を備えた投光器１を使って、コンサート会場の観客を見下ろせる高さから赤外光を照射すると、会場内の狭い帯状の領域にある発光器を制御して発光させることができる。そして、例えば、後述する図８に示すように投光器１のノズル３の向いている方向を動かすと、会場内の観客が所持した発光器の発光によって形成された帯状の発光領域を移動させることができる。
このような発光器を用いた演出方法は従来になく、本発明に係る投光器は上記のような新たな演出効果、方法を提供できるものとなっている。
【００１５】
会場が広く、投光器１と発光器の距離が長い場合、また照射位置が低くいと発光器から遠くなるにしたがって投光される赤外光の幅が太くなる。このような場合には、図２に示したような中間部９ｂの長さが長く、かつ幅の狭いノズル３ｂを使用して指向性の高い照射光となるようにする。
また、会場が狭かったり、投光器による照射位置が比較的低い場合には、図２に示したものよりもダクト状の中間部９の長さが短い図１に示すようなノズル３を用いても良い。このように、使用状況に応じてノズルを交換若しくは取り外し可能となるように、投光器本体２とノズルとを着脱可能に構成することができる。
【００１６】
上記投光器本体２に装着可能に形成したノズルの他の例を図３に示す。図３に示したノズル２０は、前記投光器本体２に前述したノズル３に変えて装着可能に形成したものである。当該ノズル２０は、ダクト状に形成した中間部２１の上下幅を、前記ノズル３よりも狭く形成したものである。このノズル２０を用いると、会場内に投光される帯状の照射領域を前記ノズル３，３ｂを使用した場合と比較して狭くすることができるものである。
【００１７】
図４は、投光器本体２に装着可能に形成した他のノズル３０を表したものである。当該ノズル３０も、前述した各ノズルと同様に会場に向けて幅の狭い赤外光を照射するために形成したものである。
ノズル３０は、投光器本体２に装着するためのフランジ状の装着部３１を有し、当該装着部３１から前方に向かって設けられた扇状に広がる板状体として形成された２枚のフード３２，３３を有している。フード３２，３３は上下平行に配置されており、装着部３１内に形成した横長の孔３４の上縁および下縁とも平行であり、当該孔３４を通過した赤外光はフード３２，３３の間を通過し先端開口３５を介して放射される。
【００１８】
フード３２，３３の左右部分は、赤外線を放射する前方方向に対して一定の角度（一例として４５度）外側に開いた扇型を有し、端部に設けた側壁によってそれぞれ接続されている。一定の角度範囲で広がる赤外光は、先端開口３５を形成するフード３２，３３の先端縁３６，３７によって放射範囲が定まり、照射される赤外光が帯状に成形されることになる。ノズル３０は、前述したノズルとは異なり左右方向にも赤外光を照射できるようになっている。
前述したように、投光器本体２の内部には光源４を構成する複数の発光ダイオードＤが平面的に配置されている。そして、当該ノズル３０は先端縁３６，３７のどの位置においても、光源４内の最も近い発光ダイオードＤまでの距離がほぼ等しくなるように形成されている。この条件で先端縁３６，３７の形状を定めると、フード内で散乱する光線を除いた発光ダイオードＤの直接光の放射角度の最大値が概ね一定となり帯状の範囲に赤外光が照射される。また、ノズル３０は、左右方向にも赤外光を照射できるようになっているので、赤外光が照射される帯状領域を長手方向に沿って長くすることができるようになっている。
【００１９】
図５は、遠方まで赤外線を到達させることができる広域型の投光器本体４０に、光線成形用のノズル４１を装着した例を示している。
投光器本体４０は、吊り下げ用のブラケット４２を有する筐体を有し、当該筐体の前面部に隣接して複数の発光ダイオードＤが平面的に配置されている。投光器本体４０の発光ダイオードＤの搭載数は前述した投光器１の３倍程度の数であり、投光器本体４０の横幅は前述した投光器本体２と略同一であるが高さ（縦幅）は発光ダイオードＤの搭載数に応じて広くなっている。当該投光器本体４０を使用すると、ほぼ発光ダイオードＤが有している指向性に応じて比較的広範囲に赤外光を照射可能にすることができる。
【００２０】
図６に示すように、広範囲に赤外光を照射する投光器本体４０の前面に、光線成形用のノズル４１が着脱可能に装着されるようになっており、当該ノズル４１の装着によって帯状の範囲に赤外光を照射できるようになる。
ノズル４１は、赤外光の照射口となる横幅が広く縦幅の狭い矩形の開口４３を有する筒状部４４と、当該筒状部４４を投光器本体４０の前面を配置するフランジ状の板体４５によって構成されている。
板体４５は、投光器本体４０の前面を覆うとともに、投光器本体４０の筐体に対してネジ等の取付手段（図示せず）で取り付けられるものである。板体４５を投光器本体４０の前面に取り付けると、発光ダイオードＤが発光した赤外光が漏れるのを防止し、筒状部４４に設けた開口４３のみから赤外線を照射するようになる。
【００２１】
図７、図９は、投光器１の使用状態のイメージを表した説明図であり、コンサート会場を模した広域面５０の斜め上方から、投光器１を用いて一定幅に制限した赤外光を照射している状態を表している。
図８は、投光器１（投光器本体４０にノズル４１を取り付けたものも同様である。）の使用状態を表しており、固定されたブラケット６の取付部１２を中心として投光器１のノズル３先端を上下に回動させている状態を表した説明図である。この投光器１の回動は、人間の手による直接的な操作で行う場合の他、回動角度を制御できるようにエンコーダ付きのモーターを取り付けて回動を制御しても良い。横幅の広い会場では、投光器１を直線上において等間隔に配置し、これを回動角度を同期させて回動させることで横幅の広い会場であっても、途中で途切れることのない長い発光領域を形成することができるようになる。また、投光器１の姿勢制御は、他の照明設備や音響設備と同期するように、動作プログラムによって行われるようにしても良い。
【００２２】
投光器１によって広域面５０を照射すると、広域面５０上に帯状の照射領域５１が形成される。そして、投光器１の先端を上方に回動させると、図９に示すように広域面５０上の照射領域５１が照射領域５２方向に連続的に移動し、再び投光器１の先端を下方に回動させると照射領域５１方向に照射領域が移動する。このように、投光器１の先端を上下に回動させると、広域面５０上に形成される帯状の照射領域が移動する。
帯状に赤外線が照射される広域面５０上の領域には、照射された赤外線に含まれる制御信号によって発光する発光器が配備されている。具体的には、発光器を手にした大勢の観客がコンサート会場の観客席としての広域面上に配置されている。
【００２３】
次に、前記投光器１によって制御される発光器１０３について説明する。図１０（ａ）は発光器１０３の概略ブロック図であり、図１０（ｂ）は発光器１０３の構造図を表している。主な構成として発光器１０３は、受光手段１１２、波形取得（波形増幅・整形）手段１１３、駆動制御部１１４、発光手段１１５（１１５ａ、１１５ｂ、１１５ｃ）、電源１１６を有している。
受光手段１１２は、フォトダイオード等の受光素子によって形成されたものであり、前記赤外線を放射する投光器が出力した赤外光（赤外線信号）を受光することができるものである。波形取得（波形増幅・整形）手段１１３は、受光手段１１２によって受光された赤外光を所定レベルの電圧となるように調整するとともに波形を整形し、変調された信号から制御コードを抽出する抽出手段として機能するものとなっている。
【００２４】
駆動制御部１１４は、発光器１０３が有する電気的な各手段を制御するものであって、主として前記制御コードに基づき、発光手段１１５を発光させる駆動制御を行う手段となっている。発光手段１１５は、可視光を発光するＬＥＤ等の光源によって形成されたものであり、本実施の形態ではそれぞれ赤・青・緑の光を発光するＬＥＤ（１１５ａ、１１５ｂ、１１５ｃ）によって構成されている。なお、発光器の形態はペン型に限らず、身体に装着するブレスレット型やペンダント型など種々の形態がある。
【００２５】
次に、制御コードについて説明する。制御コードは、投光器によって送信される赤外線信号に含まれている。赤外線信号に含まれる制御コードの一例を図１１に示す。図１１の上段は赤外線信号に含まれる制御コードの一例、第２段目はリーダーコードおよびコードＡの部分を時間軸方向に拡大した説明図、第３段目は第２段目に示したリーダーコードとコードＡをさらに時間軸方向に拡大した説明図、第４段目は発光される赤外線信号の最小パルス幅を表している。
図１１に示す通り、赤外線信号には制御コードとして、リーダーコードおよびコードＡ〜Ｇ等として示した７つのコードおよびストップビットが含まれている。リーダーコードとストップビットは、制御コードの始まりと終わりを認識させるコードであり、当該リーダーコードとストップビットの間に配置された各コードが、発光器１０３を駆動する制御命令となるものである。
【００２６】
コードＡはカスタムコードである。当該コードは、自社（メーカー）の製品であることを判別するメーカー固有の照合コードとなっている。当該照合コードは発光器１０３が記憶しているコードの一致・不一致を検証するためのものであり、一致した場合にのみ発光器１０３が他の制御コードを命令として受け付けるようにするものである。また、生産時期などの管理も兼ねたコードとなっている。
【００２７】
コードＢはピンポイントコードである。当該コードは、投光器の種別を表す照合コードとなっており、発光器１０３が有するＩＤコードとの一致・不一致を判別するものとなっている。
本実施の形態に係る発光器１０３は、比較的狭い範囲にのみ赤外光を照射するように構成した前述のものとは異なるスポットタイプの投光器と、広い領域全体を照射するように構成された前述したような広域タイプの投光器が使用可能になっている。当該コードによって、赤外線信号が投光器の種別を認識できるようになっている。
【００２８】
コードＣ〜ＥはハードＩＤコードである。当該コードは、必要に応じて発光器１０３内のメモリに予め記憶させておくコードであり、発信されたコードＣ〜Ｅとの一致、不一致を照合するためのコードである。一致した場合には特定の動作モードに切り替える、特定の制御信号を無視あるいは実行する等の個別の制御を行えるようにするものである。例えば、発光器１０３をクライアントやタレント違いその他の用途によって使い分けができるように割り振られたコードとしたり、端末ＩＤと同様に同じハードＩＤコードを受光した場合に発光や調光の制御データの指示に従いＬＥＤを発光させるという使い方ができるようになっている。
コードＦ〜Ｇは発光、調光制御コードである。発光器１０３に搭載されている３色のＬＥＤ１１５ａ、１１５ｂ、１１５ｃの発光スピードを制御するコードであり、発光と消灯信号の繰り返しで制御するようになっている。
【００２９】
次に、図１２に示したフローチャートを用いて、赤外線信号を受信した発光器１０３の主な動作について説明する。
発光器１０３の電源スイッチを入れると、無信号時に動作するように記憶されている発光パターンでＬＥＤ１１５ａ、１１５ｂ、１１５ｃを点灯あるいは点滅させるとともに（Ｓ１）、受光手段１１２によって赤外線信号を受信可能な状態にする。
赤外線信号を受信すると、波形取得手段１１３によって制御コードを抽出し、駆動制御部１１４が信号に含まれるコードＡが発光器１０３が記憶している識別情報に含まれる照合コードと一致しているか否かを判定する（Ｓ２）。当該照合コードには、投光器が出力するコードＡおよびコードＣ〜Ｅが含まれる。判定の結果、抽出した制御コードにコードＡが含まれていない場合（発光器１０３が記憶している識別情報と一致しない）には、再び赤外線信号の受信可能な状態（Ｓ１）に戻り、コードＡが発光器１０３が記憶している識別情報と一致した場合には次のステップとしてコードＢの内容を判定する（Ｓ４）。
【００３０】
コードＢは、本実施の形態では「１」あるいは「０（１以外）」の何れかを示すコードとなっており、「１」の場合には投光器が「スポットタイプ」のものであり、「１以外」のコードである場合には「スポットタイプ」以外（本実施の形態では「広域タイプ」）のタイプであると判断する。
「コードＢ＝１」である場合には、現在の発光色・調光値を駆動制御部１１４内の記憶領域に保存（Ｓ５）した後、発行色制御コードであるコードＧによって指定された内容でＬＥＤ（１１５ａ、１１５ｂ、１１５ｃ）を発光させる（Ｓ６）。そして、この発光と同時にタイマを０．５秒にセットし（Ｓ７）、当該タイマによる設定時間をカウントし、セットした時間の経過とともに前記ステップＳ５で保存した発光色・調光値に基づいて各ＬＥＤを発光させる（Ｓ９）。そして、当該ステップＳ９の後、再び赤外線信号の受信可能な状態（Ｓ１）に戻る。
【００３１】
本実施の形態では、上記０．５秒にセットされたタイマ時間は予め発光器１０３に記憶された固定データとなっている。このタイマが有効になっている一定時間については、コードＢ＝１とともに送信された他の制御コードに基づいた内容で発光が行われる。そして、この時間は発光指示装置から制御信号が送信されていても割り込みを許容しないようになっている。
なお、上記タイマ時間は固定値として設定されたものとなっているが、発光器に調節手段を設け任意の時間に設定できるようにしても差し支えないものである。また、上記制御コード「コードＢ＝１」の送信とともに発光指示装置からタイマ時間を設定する信号を送信し、当該送信された設定時間に伴ったタイマ動作をさせてもよいものである。
【００３２】
前記「コードＢ＝１」の検出（Ｓ４）によってステップＳ６で設定された発光色・調光値による発光を行ってから、「コードＢ＝１」の検出前の状態に戻るまでの処理（Ｓ８）は、実際には複雑な処理になっているが、図４では要約した内容を示している。当該ステップＳ８で行っているのは、「コードＢ＝１」に伴って行われた発光を終了させるまでの処理であり、発光器１０３が連続的に「コードＢ＝１」を受信可能な状態であったり、断続的に受信可能な状態であったり、赤外線信号を全く検出できない状態になった場合などの種々の条件に対応した処理を行っている。そして、当該処理（Ｓ８）は、図１３に示したような演出を行うための処理である。
図１３は、一例としてコンサート会場における個々に発光器１０３を手に持った観衆を表しており、図１３（ａ）は各人が所有している発光器１０３が全て同じ発行色、調光値で発光している状態若しくは消灯状態である場合を表している。この状態は、通常、広域タイプの発光指示装置によって会場全体に制御信号を送信した結果得られるものである。
図１３（ａ）の状態において、別途設けた「スポットタイプ」の投光器によって観衆を照射すると、制御信号は図１３（ｂ）に示すように一部の領域Ｗにのみに到達する。そうすると会場に分散している発光器１０３が、「スポットタイプ」投光器から赤外線信号の受信しているものと受信していないものに別れ、領域Ｗに存在する発光器１０３のみが「スポットタイプ」の投光器による制御コードによって所定の発光を行う。そして、上記の例では赤外線信号の受信したのち発光器１０３は０．５秒間だけ所定の色で発光した後に、発光前の状態に戻るようになっている。
【００３３】
そして、「スポットタイプ」の投光器が赤外線信号を照射する領域Ｗを連続的に移動させると、領域Ｗの移動に伴ってその領域に存在する発光器１０３が順次所定の色で発光し、０．５秒後に元の状態に戻る。これが演出的にどのように表現されるかというと、「スポットタイプ」の投光器が示した領域が発光器１０３の発光によってスポットライトを浴びたように明るくなり、領域Ｗの移動に伴って、尾を引くように領域Ｗの移動した後も僅かな時間だけ残像のような発光した後に消灯若しくは元の発光状態にすることができるものである。
【００３４】
また、コードＢは、発光器１０３の個体情報（ハードＩＤ）を表すコードＣ〜Ｅの有無に優先するものであって、ハードＩＤが異なる複数種類の発光器１０３が存在している場合であっても、コードＢ＝１であると判定することによってハードＩＤの一致・不一致にかかわらず「スポットタイプ」の発光指示装置２が発信する信号に対して優先的に従うようになっている。コードＢは他の制御コードに優先して実行される最優先コードとなっている。
【００３５】
前記ステップＳ４で「コードＢ＝１」ではない場合には、次に「コードＣ＝１」（発光器１０３のハードＩＤがコードＣと同一）であるか否かが判定され（Ｓ１０）、「コードＣ＝１」である場合にはコードＧの値に合った色を点灯するとともに、コードＦの内容応じた調光を行う（Ｓ１１）。
コードＦは３ｂｉｔのデータであって８段階（消灯〜最大照度での点灯）で明るさを指定できるようになっている。また、コードＧも３ｂｉｔデータであって３色のＬＥＤを調光して８種類（レッド、グリーン、ブルー、イエロー、シアン、マセンタ、ホワイト、ブラック（消灯））の色を発光できるようになっている。
【００３６】
前記ステップＳ１０において「コードＣ＝１」でない場合には、さらに他のハードＩＤと一致するか否かを判定するため、発光器１０３のハードＩＤが「コードＤ」と一致するか否かの判定（Ｓ１２）、発光器１０３のハードＩＤが「コードＥ」と一致するか否かの判定（Ｓ１３）を行う。
なお、当該フローチャートには示していないが、「コードＤ」あるいは「コードＥ」の一致に伴って実行される処理を適宜設けることができるようになっており、当該処理が終わると赤外線信号の受信可能状態（Ｓ２）に戻るようになっている。
また、上記処理において、何れのハードＩＤもコードＣ〜コードＥと一致しない場合には、赤外線信号の受信可能状態（Ｓ２）に戻る。
【００３７】
大きなコンサート会場では、発光器１０３を所持した観衆が広範囲に分布しているので、観衆が所持している全て発光器１０３を同期させて発光させる場合には前述した投光器を用いる。図１４（ａ）は、当該投光器の操作を行うコントローラー１２０のパネル面を表している。発光ダイオードＤを多数個搭載した投光器１と、当該投光器１を制御コントロールするコントローラー１２０、駆動制御部１２８および波形増幅・整形手段１２９によって構成されている。また、必要に応じて一台のコントローラーに複数台の投光器を接続し、これを同期させて発光制御する場合もある。
【００３８】
コントローラー１２０のパネル面には、一例として電源スイッチ１２１、ＩＤ設定ダイヤル１２２、スポットモードのＯＮ／ＯＦＦスイッチ１２３、調光ボリウム１２４、点滅スピード調整ボリウム１２５、発行色の指示スイッチ１２６（１２６ａ、１２６ｂ、１２６ｃ、１２６ｄ、１２６ｅ、１２６ｆ、１２６ｇ、１２６ｈ）、消灯スイッチ１２７が設けられている。
ＩＤ設定ダイヤル１２２は、前述したコードＣ〜コードＥのようなハードＩＤを設定する際に使用するＩＤ設定手段である。投光器は、上記コントローラー１２０の各スイッチ等を用いて、発光器１０３における発光色の選択、発光色の調光、明るさの調節、消灯、点滅速度の調節等の設定を行い、これらを制御信号として生成した後に所定の赤外線信号を生成し投光器を介して出力させるようになっている。
【００３９】
なお、前述した投光器の使用例は、その用法の一つとして平面的な領域に対して上方から赤外線を照射するものである。一方、ドーム型の球場や体育館施設では、すり鉢状に観客席が設けられている場合もある。このような場合、前記投光器の姿勢を変えて、すり鉢状の空間の中央付近から周囲に向かって上下方向に長い帯状の赤外光を照射するようにしてもよい。そして、投光器を上下垂直方向を軸として３６０度回転させることで、すり鉢状の観客席を一週するように発光域を移動させることができるようになる。このように、本発明に係る発光域を帯状に形成することができる投光器は、様々な演出を行うことができるものとなっている。
【産業上の利用可能性】
【００４０】
本発明は、赤外線を受光して発光する発光器の制御に使用可能であり、コンサートなどの演出に用いられる照明設備の一つとしても利用可能である。
【符号の説明】
【００４１】
１  投光器
２  投光器本体
３  ノズル
４  光源
５  筐体
６  ブラケット
７  開口面
８  開口
９  中間部
１０  取付部
１１  後端開口
２０  ノズル
３０  ノズル
４０  投光器本体
４１  ノズル
４２  ブラケット
１０３  発光器
Ｄ  発光ダイオード
【図１】
2015026533.tif 000003
【図２】
2015026533.tif 000004
【図３】
2015026533.tif 000005
【図４】
2015026533.tif 000006
【図５】
2015026533.tif 000007
【図６】
2015026533.tif 000008
【図７】
2015026533.tif 000009
【図８】
2015026533.tif 000010
【図９】
2015026533.tif 000011
【図１０】
2015026533.tif 000012
【図１１】
2015026533.tif 000013
【図１２】
2015026533.tif 000014
【図１３】
2015026533.tif 000015
【図１４】
2015026533.tif 000016